(57)【要約】【課題】発光層を含む有機層を陽極と陰極の間に配置し、陽極と陰極の間に電圧を印加することにより有機層を発光させる有機エレクトロルミネッセンス表示装置において、色再現性を改善することができ、消費電力を低減することができる表示装置を得る。【解決手段】赤色光を発光する第１のサブピクセルと、緑色光を発光する第２のサブピクセルと、青色光を発光する第３のサブピクセルと、第１のサブピクセルの赤色光と第２のサブピクセルの緑色光の中間色（例えば黄色）を発光する第４のサブピクセルとから１画素が構成されていることを特徴としている。【選択図】図１
2007095444.tif 000002
【特許請求の範囲】
【請求項１】
発光層を含む有機層を陽極と陰極の間に配置し、前記陽極と前記陰極の間に電圧を印加することにより前記有機層を発光させる有機エレクトロルミネッセンス表示装置であって、
赤色光を発光する第１のサブピクセルと、
緑色光を発光する第２のサブピクセルと、
青色光を発光する第３のサブピクセルと、
前記第１のサブピクセルの赤色光と前記第２のサブピクセルの緑色光の中間色を発光する第４のサブピクセルとから１画素が構成されていることを特徴とする有機エレクトロルミネッセンス表示装置。
【請求項２】
前記第４のサブピクセルが、発光効率において前記第１のサブピクセルより優れていることを特徴とする請求項１に記載の有機エレクトロルミネッセンス表示装置。
【請求項３】
前記第４のサブピクセルが、発光効率において前記第２のサブピクセルより優れていることを特徴とする請求項１または２に記載の有機エレクトロルミネッセンス表示装置。
【請求項４】
前記第４のサブピクセルが、ＣＩＥ色度座標において前記第１のサブピクセルよりｘ値が小さくｙ値が大きい光を発光することを特徴とする請求項１〜３のいずれか１項に記載の有機エレクトロルミネッセンス表示装置。
【請求項５】
前記第４のサブピクセルが、ＣＩＥ色度座標において前記第２のサブピクセルよりｘ値が大きくｙ値が小さい光を発光することを特徴とする請求項１〜４のいずれか１項に記載の有機エレクトロルミネッセンス表示装置。
【請求項６】
前記第４のサブピクセルの発光ピーク波長が、５００ｎｍ〜５８０ｎｍの範囲内であることを特徴とする請求項１〜５のいずれか１項に記載の有機エレクトロルミネッセンス表示装置。
【請求項７】
前記第２のサブピクセルが、前記第４のサブピクセルと実質的に同一の発光色を示す前記有機層を備えており、長波長域の成分の光を減衰させるカラーフィルターを透過させて、前記有機層からの発光を緑色光に変えて発光させていることを特徴とする請求項１〜６のいずれか１項に記載の有機エレクトロルミネッセンス表示装置。
【発明の詳細な説明】
【技術分野】
【０００１】
本発明は、複数の有機エレクトロルミネッセンス素子（有機ＥＬ素子）を備えた有機エレクトロルミネッセンス表示装置（有機ＥＬ表示装置）に関するものである。
【背景技術】
【０００２】
近年、情報機器の多様化に伴い、薄型でフルカラー表示が可能な薄型表示装置への要望が高まっている。その一つとして、高効率、薄型、軽量、低視野角依存性等の特徴を有する有機ＥＬ素子が注目されている。
【０００３】
有機ＥＬ素子は、２．５〜１２Ｖ程度の低電圧で１００〜１０００００ｃｄ／ｍ2以上の高い発光輝度が得られるという利点を有する。このため、有機ＥＬ素子のフルカラーディスプレイへの応用が期待されている。
【０００４】
有機ＥＬ素子を用いた表示装置のフルカラー化技術としては、白色発光の有機ＥＬ素子を光源（バックライト）として、３原色である赤色（Ｒ）、緑色（Ｇ）、青色（Ｂ）のカラーフィルタを介して発光するフィルタ方式、青色の有機ＥＬ素子を光源として色変換層（ＣＣＭ）を用いる方式、及び３原色の有機ＥＬ素子を基板上に並列に配置する３色独立発光方式が提案されている。
【０００５】
上記の３色独立発光方式では、色ごとに材料、素子構造などを最適化することができ、光の利用効率が悪いフィルタ方式などに比べ消費電力及び色再現性の面で利点を備えている。また、消費電力を低減させる方法としては、フィルタ方式において、光の利用効率が良い白色光を利用する、赤色（Ｒ）、緑色（Ｇ）、青色（Ｂ）、及び白色（Ｗ）の４色を駆動する有機ＥＬ表示装置が提案されている（特許文献１など）。
【特許文献１】特開２００４−３１１４４０号公報
【発明の開示】
【発明が解決しようとする課題】
【０００６】
しかしながら、上記３色独立発光方式においては、各色の色再現性を向上させると、発光効率が低下する傾向があり、装置全体の消費電力が増大するという問題がある。
【０００７】
このような問題は、発光材料そのものの問題もあるが、人間の視感度に依存している部分が強く、根本的に改善することは困難である。
【０００８】
人間の視覚は、色ごとに視感度が異なることが知られており、これを波長ごとにプロットしたものが標準比視感度であり、標準比視感度では、図９に示すように、５５５ｎｍの波長の光がもっとも視感度が良くなり、５５５ｎｍよりも短波長及び長波長の波長の光になると、視感度は単調に悪くなる。
【０００９】
赤色光は通常、５８０ｎｍから７００ｎｍ程度にピーク波長を有するような発光層から得られる。色度の良い赤色光を得る場合には、長波長側にピーク波長を有するような発光材料が必要となる。しかしながら、このような場合、視感度の悪い長波長領域の光を利用するため発光効率は低下する傾向にある。
【００１０】
青色光は通常、４００ｎｍから５００ｎｍ程度にピーク波長を有するような発光層から得られる。色度の良い青色光を得る場合には、より短波長側にピーク波長を有するような発光材料が必要となる。しかしながら、このような場合においても視感度の悪い短波長領域の光を利用するため発光効率が低下する傾向にある。
【００１１】
緑色光は通常、４８０ｎｍから５６０ｎｍ程度にピーク波長を有するような発光層から得られる。比較的視感度の良い波長領域を利用するため、赤色光や青色光に比べ発光効率は良くなるが、視感度の最も良い５５５ｎｍの単波長光は実際には黄緑色に近い色を呈するため、ディスプレイなどに要求される緑色光を発光させる場合には、通常、より短波長側にピーク波長を有するような発光材料が用いられる。このような場合、当然視感度の悪い波長領域の光を利用することになり、発光効率は低下する傾向にある。
【００１２】
このような現象は、特に高分子材料を用いた有機ＥＬ表示装置において、より顕著に現れる。これは、多くの高分子材料が化学構造的な理由等により、低分子材料などに比べ、ピーク波長よりも長波長の成分が短波長の成分よりも多いようなブロードな発光スペクトルを示す傾向があるためと考えられる。
【００１３】
このようなスペクトル形状では、同じ発光ピーク波長でも、ナローな発光スペクトルを示すものに比べ、より長波長の色を呈するようになり、例えば５５５ｎｍ付近にピーク波長を有するような高分子材料では、黄緑色よりもより黄色に近い色を呈するようになる。同様の理由により、高分子材料では、色度の良い緑色光を得ようとすると、より短波長側にピーク波長を有する必要があり、その場合、さらに視感度の悪い波長領域の光を利用することになり、より発光効率が低下する傾向にある。
【００１４】
実際に高分子材料を用いた有機ＥＬ素子では、相対的に色度も発光効率も優れた緑色材料はほとんどない。
【００１５】
本発明の目的は、上記の従来の問題点を解消し、良好な色再現性を維持したまま消費電力を低減することができる有機ＥＬ表示装置を提供することにある。
【課題を解決するための手段】
【００１６】
本発明の有機ＥＬ表示装置は、発光層を含む有機層を陽極と陰極の間に配置し、陽極と陰極の間に電圧を印加することにより有機層を発光させる有機ＥＬ表示装置であり、赤色光を発光する第１のサブピクセルと、緑色光を発行する第２のサブピクセルと、青色光を発光する第３のサブピクセルと、第１のサブピクセルの赤色光と第２のサブピクセルの緑色光の中間色を発光する第４のサブピクセルとから１画素が構成されていることを特徴としている。
【００１７】
本発明に従い、第１のサブピクセルの赤色光と第２のサブピクセルの緑色光の中間色を発光する第４のサブピクセルを用いることにより、第４のサブピクセルが、視感度の最も良い波長領域を発光するものであるので、発光効率を高めることができ、良好な色再現性を維持したまま消費電力を低減することができる。
【００１８】
発光効率の評価に用いられるｃｄ（カンデラ）及びｌｍ（ルーメント）の照度には、視感度が加味されている。従って、本発明に従い視感度の良い波長領域を有効に利用することにより、発光効率を高めることができる。
【００１９】
本発明において、第４のサブピクセルの発光ピーク波長は、５００ｎｍ〜５８０ｎｍの範囲内であることが好ましい。さらに好ましくは、視感度の最も良い波長領域である５４０ｎｍから５６０ｎｍの範囲内に発光ピーク波長を有することが好ましい。
【００２０】
本発明において、第４のサブピクセルは、第１のサブピクセルの赤色光と第２のサブピクセルの緑色光の中間色を発光する。以下、第４のサブピクセルを構成する発光層を便宜的に黄色発光層、第４のサブピクセルから発生する中間色を黄色光と呼ぶ。
【００２１】
本発明において、第４のサブピクセルは、発光効率において第１のサブピクセルより優れていることが好ましい。また、第４のサブピクセルは、発光効率において第２のサブピクセルより優れていることが好ましい。第４のサブピクセルが発光する黄色光を発光する発光材料には、一般に発光効率の高いものが多く知られている。また、上述のように、第４のサブピクセルは、視感度の良好な波長領域の光を発光するので、高い発光効率が得られやすい。
【００２２】
第４のサブピクセルとして、第１のサブピクセル及び／または第２のサブピクセルより発光効率が高いサブピクセルを用いることにより、表示装置全体としての発光効率を高めることができる。
【００２３】
本発明において、第４のサブピクセルは、ＣＩＥ色度座標において第１のサブピクセルよりｘ値が小さくｙ値が大きい光を発光することが好ましい。また、本発明において第４のサブピクセルは、ＣＩＥ色度座標において第２のサブピクセルよりｘ値が大きくｙ値が小さい光を発光することが好ましい。
【００２４】
図７は、上記のような第４のサブピクセルのＣＩＥ色度座標を示す図である。図７においてハッチングを付して示す第４のサブピクセルの領域は、第１のサブピクセルよりｘ値が小さくｙ値が大きく、かつ第２のサブピクセルよりｘ値が大きくｙ値が小さい領域となっている。本発明においては、ＣＩＥ色度座標においてこのような領域の範囲内の色を、第４のサブピクセルが発光することが好ましい。
【００２５】
従って、第２のサブピクセルの発光ピーク波長は、第４のサブピクセルよりも短波長である光を発する。ＣＩＥ色度座標においては、第４のサブピクセルよりもｘ値が小さくｙ値が大きい緑色を発光することになる。
【００２６】
本発明において、第１のサブピクセルの発光のピーク波長は５８０ｎｍ〜７００ｎｍの範囲内であることが好ましい。
【００２７】
また、本発明において、第３のサブピクセルの発光ピーク波長は、４００ｎｍ〜５００ｎｍの範囲内であることが好ましい。
【００２８】
本発明において、第１のサブピクセル〜第４のサブピクセルは、それぞれの発光色を発光する有機層（有機ＥＬ素子）を備えていることが好ましく、それぞれ独立に有機ＥＬ素子が構成されており、それぞれのサブピクセルが独立して駆動できることが好ましい。有機ＥＬ素子の発光層としては、それぞれのサブピクセルの発光色を発光する発光層であっても良いし、有機ＥＬ素子の発光層の発光色をカラーフィルタや色変換層（ＣＣＭ）により変換して発光するものであっても良い。
【００２９】
特に、第２のサブピクセルに関しては、第４のサブピクセルと実質的に同一の発光色を示す有機層（有機ＥＬ素子）を備え、長波長域の成分の光を減衰させるカラーフィルタを配置し、このカラーフィルタを透過させることにより、緑色光に変えて発光させることができる。第４のサブピクセルの黄色光を発光する有機ＥＬ素子は高い発光効率を示すものであるので、第２のサブピクセルにおいてもこの第４のサブピクセルの有機ＥＬ素子と同じものを用い、発光効率を高めることができる。
【発明の効果】
【００３０】
本発明によれば、視感度の良い波長領域にピーク波長を有する、発光効率の良い第４のサブピクセルを用いているので、良好な色再現性を維持しながら有機ＥＬ表示装置全体の消費電力を低減させることができ、有機ＥＬ表示装置全体の寿命特性を高めることができる。
【発明を実施するための最良の形態】
【００３１】
以下、本発明を実施例により説明するが、本発明は以下の実施例に限定されるものではない。
【００３２】
図１は、本発明に従う一実施形態の有機ＥＬ表示装置を示す概略断面図である。
【００３３】
図１に示すように、ガラスまたはプラスチック等からなる透明な基板１の上に、例えば酸化シリコン（ＳｉＯ2）からなる層と窒化シリコン（ＳｉＮｘ）からなる層の積層膜１１が形成されている。
【００３４】
積層膜１１の上には、ＴＦＴ（薄膜トランジスタ）２０が設けられており、ＴＦＴは、多結晶シリコン層１２、ソース電極１３ｓ、ドレイン電極１３ｄ、ゲート酸化膜１４及びゲート電極１５から構成されている。
【００３５】
多結晶シリコン層１２の上には、ドレイン電極１３ｄ及びソース電極１３ｓが設けられており、ＴＦＴ２０のドレイン電極１３ｄは、ホール注入電極２に接続され、ＴＦＴ２０のソース電極１３ｓは、図示されない電源線に接続されている。
【００３６】
ゲート電極１５を覆うようにゲート酸化膜１４上に、例えば酸化シリコン（ＳｉＯ2）及び窒化シリコン（ＳｉＮｘ）からなる第１の層間絶縁膜１６が形成されている。ドレイン電極１３ｄ及びソース電極１３ｓを覆うように、第１の層間絶縁膜１６の上に例えば酸化シリコン（ＳｉＯ2）及び窒化シリコン（ＳｉＮｘ）からなる第２の層間絶縁膜１７が形成されている。
【００３７】
第２の層間絶縁膜１７の上には、例えばアクリル樹脂等からなる平坦化層１８が形成され、平坦化層１８の上に、透明なホール注入電極２が画素ごとに形成されている。また、各画素の領域を規定する、例えばポリイミドからなる隔壁１９がホール注入電極２を覆うように形成されている。ホール注入電極２は、例えばインジウムスズ酸化物（ＩＴＯ）等の透明導電膜から形成されている。
【００３８】
ホール注入電極２及び隔壁１９の上には、ホール注入層３が形成されており、ホール注入層３の上には、各画素の発光色に対応して赤色発光層４１、緑色発光層４２、青色発光層４３、及び黄色発光層４４が形成されている。ホール注入層３及び発光層４１〜４４は、インクジェット法などの方法により順次積層して形成されている。
【００３９】
赤色発光層４１が形成されている領域が、本発明の第１のサブピクセルの領域に対応しており、緑色発光層４２が形成されている領域が、本発明の第２のサブピクセルの領域に対応しており、青色発光層４３が形成されている領域が、本発明の第３のサブピクセルの領域に対応しており、黄色発光層４４が形成されている領域が、本発明の第４のサブピクセルの領域に対応している。
【００４０】
本実施例では、一般的な高分子材料を利用した２層型（ホール注入層／発光層）の有機ＥＬ素子を示しているが、有機発光層としては単層型（発光層）、２層型（ホール注入層／発光層）、３層型（ホール注入層／ホール輸送層／発光層）、４層型（ホール注入層／ホール輸送層／発光層／電子輸送層）、５層型（ホール注入層／ホール輸送層／発光層／電子輸送層／電子注入層）のいずれの構成にしてもよい。また、有機層を構成する材料としては、高分子材料、低分子材料のいずれであってもよく、また高分子材料と低分子材料を組み合わせて用いてもよい。
【００４１】
赤色発光層４１、緑色発光層４２、青色発光層４３、黄色発光層４４及び隔壁１９を覆うように、電子輸送層５としてカルシウムを蒸着し、その上に電子注入電極６としてアルミニウムを蒸着している。
【００４２】
赤色発光層４１に用いることができる高分子系発光材料としては、以下に示す構造を示すＭＥＨ−ＰＰＶ及びＰＦ−ＢＴ−ＢＴＴ２−ＴＰＤなどが挙げられる。
【００４３】
【化１】
2007095444.tif 000003
【００４４】
【化２】
2007095444.tif 000004
【００４５】
緑色発光層４２に用いることができる高分子系発光材料としては、以下に示す構造を有するＦ８ＢＴ＋ＰＦＯ及びＰＦ−ＤＳＢ−ＴＰＤなどが挙げられる。
【００４６】
【化３】
2007095444.tif 000005
【００４７】
【化４】
2007095444.tif 000006
【００４８】
青色発光層４３に用いることができる高分子系発光材料としては、以下に示す構造を有するＰＦＯ及びＰＦ−ＴＰＤなどが挙げられる。
【００４９】
【化５】
2007095444.tif 000007
【００５０】
【化６】
2007095444.tif 000008
【００５１】
黄色発光層４４に用いることができる高分子系発光材料としては、以下に示す構造を有するＰＦ８−ＢＴ−ＴＰＤ及びＹｅｌｌｏｗ−ＰＰＶなどが挙げられる。
【００５２】
【化７】
2007095444.tif 000009
【００５３】
【化８】
2007095444.tif 000010
【００５４】
ホール注入層３に用いることができる高分子材料としては、以下に示す構造を有するＰＥＤＯＴ−ＰＳＳ及びＰＡｎｉなどが挙げられる。
【００５５】
【化９】
2007095444.tif 000011
【００５６】
【化１０】
2007095444.tif 000012
【００５７】
ホール輸送層に用いることができる高分子材料としては、以下に示す構造を有するＰＦ８−ＴＰＡ及びＰＦ８−ＴＰＤなどが挙げられる。
【００５８】
【化１１】
2007095444.tif 000013
【００５９】
【化１２】
2007095444.tif 000014
【００６０】
図２は、本発明に従う他の実施形態の表示装置を示す概略断面図である。図２に示す有機ＥＬ表示装置は、緑色を発光する第２のサブピクセルの領域において、黄色を発光する第４のサブピクセルと同様の黄色発光層４４が用いられている。黄色発光層４４の下方の光取り出し側において、第２の層間絶縁膜１７の上に、緑色カラーフィルタ層ＣＦが設けられている。黄色発光層４４から出射された黄色の光は、この緑色カラーフィルタ層ＣＦを通過することにより、緑色光として出射される。図２に示す有機ＥＬ表示装置におけるその他の構成は、基本的に図１に示す有機ＥＬ表示装置と同様である。
【００６１】
本実施例では、第２のサブピクセルに、高い発光効率が得ることができる第４のサブピクセルの有機ＥＬ素子（有機層）を用いているので、有機ＥＬ表示装置全体として発光効率を高めることができる。
【００６２】
図３は、第１のサブピクセル（Ｒ）、第２のサブピクセル（Ｇ）、第３のサブピクセル（Ｂ）、及び第４のサブピクセル（Ｙ）の配置の一例を示す平面図である。図３に示す配置状態においては、第１のサブピクセルから第４のサブピクセルが並列に配置されている。各サブピクセルの開口率はそれぞれ２０％程度である。
【００６３】
図１及び図２に示す実施形態においては、図３に示すサブピクセルの配置状態を採用しているが、サブピクセルの配置及び開口率は、素子の性能などを考慮して適宜変更することができる。サブピクセルを４種類用いた場合、各サブピクセルの開口率は、３色のサブピクセルを用いた場合に比べ、およそ４分の３程度になる。従って、単色光を得る場合には、各色の必要輝度は単純に考えると、およそ３分の４倍程度になる。有機ＥＬ素子では、一般的に赤色光や青色光の寿命が、緑色光の寿命に比べ悪いことが知られており、青色光や赤色光の開口率を大きくすることなどが一般に検討される。
【００６４】
図４は、青色光及び赤色光の開口率を大きくした場合の各サブピクセルの配置例を示している。この場合、サブピクセルごとの開口率は、赤色光及び青色光が３０％、緑色光及び黄色光が１５％程度となっている。赤色光及び青色光の開口率は３色の場合と同程度となるため、同等の寿命が得られる。一方、緑色光及び黄色光は、３色の場合と比べ単純に２分の１程度の開口率となるため、緑色の単色を点灯させる場合の輝度は約２倍となるが、従来から緑色光及び黄色光は視感度が良いため、赤色光や青色光に比べ寿命が良いことが知られている。また、実際のディスプレイなどでは、３色の場合には緑色光を利用しなくてはならなかった部分の色も、より効率及び寿命が良好な黄色光を利用することができるため、有機ＥＬ表示装置全体の効率及び寿命としてはほとんど問題にならない。
【００６５】
本発明の有機ＥＬ表示装置において、各サブピクセルの配置は図３及び図４に示すものに限定されるものではなく、例えば、図５及び図６に示すような配置状態としても良い。
【００６６】
また、上記実施形態に示した有機ＥＬ表示装置においては、有機ＥＬ素子の発光層からの発光を基板側から取り出すボトムエミッション型の有機ＥＬ表示装置を示しているが、本発明の有機ＥＬ表示装置は、基板と反対側から光を取り出すトップエミッション型の有機ＥＬ表示装置にも適用することができるものである。
【００６７】
〔有機ＥＬ表示装置の評価〕
図１に示す有機ＥＬ表示装置について、その特性を評価した。比較例としては、図１に示す有機ＥＬ表示装置において、第４のサブピクセルがなく、第１のサブピクセルから第３のサブピクセルが並列に配置され、各サブピクセルの開口率が３０％程度のものを用いた。
【００６８】
消費電力の比較は、本実施形態の有機ＥＬ表示装置と比較例の有機ＥＬ表示装置において、標準的な白色光である、ＣＩＥ色度座標におけるｘ値が０．３１、ｙ値が０．３３である白色光を同一強度で点灯させた場合のパネル部の消費電力を比較した。
【００６９】
本実施形態における有機ＥＬ表示装置を用いて第１のサブピクセルより赤色光を得た場合、赤色光の色度は、ＣＩＥ色度座標（０．６９，０．３１）となり、発光効率は１００ｃｄ／ｍ2点灯時で、２．３１ｌｍ／Ｗであった。
【００７０】
本実施形態における有機ＥＬ表示装置を用いて第２のサブピクセルより緑色光を得た場合、緑色光の色度は、ＣＩＥ色度座標（０．３９，０．５９）となり、発光効率は１００ｃｄ／ｍ2点灯時で、１３．８ｌｍ／Ｗであった。
【００７１】
本実施形態における有機ＥＬ表示装置を用いて第３のサブピクセルより青色光を得た場合、青色光の色度は、ＣＩＥ色度座標（０．１６，０．１４）となり、発光効率は１００ｃｄ／ｍ2点灯時で、２．５ｌｍ／Ｗとなった。
【００７２】
本実施形態における有機ＥＬ表示装置を用いて第４のサブピクセルより黄色光を得た場合、黄色光の色度は、ＣＩＥ色度座標（０．４９，０．５０）となり、発光効率は１００ｃｄ／ｍ2点灯時で、１８．０ｌｍ／Ｗであった。
【００７３】
図８は、上記各サブピクセルにおける発光色の色度の位置を示すＣＩＥ色度図である。
【００７４】
上記のように、第４のサブピクセルより得られる黄色光は、第１のサブピクセルより得られる赤色光及び第２のサブピクセルより得られる緑色光より高い発光効率を示している。
【００７５】
比較例の有機ＥＬ表示装置における各サブピクセルの発光効率は、上記本発明に従う実施形態のものと同様の構成を有するものであるので、その色度及び発光効率は、上記実施形態のものと同一である。上記本発明に従う実施形態の有機ＥＬ表示装置と比較例の有機ＥＬ表示装置において、標準的な白色光である、ＣＩＥ色度座標におけるｘ値が０．３１、ｙ値が０．３３である白色光を、同一の強度で点灯させた場合のパネル部の消費電力は、本発明に従う実施形態の有機ＥＬ表示装置においては、比較例のものと比べ、約７０％であることがわかった。
【００７６】
以上の結果からも明らかなように、本発明に従い、第４のサブピクセルを用いることにより、有機ＥＬ表示装置全体の発光効率を高めることができるとともに、消費電力を低減することができ、長寿命化を図ることができる。
【図面の簡単な説明】
【００７７】
【図１】本発明に従う一実施形態の有機ＥＬ表示装置を示す概略断面図。
【図２】本発明に従う他の実施形態の有機ＥＬ表示装置を示す概略断面図。
【図３】本発明における第１のサブピクセル〜第４のサブピクセルの配置状態の一例を示す平面図。
【図４】本発明における第１のサブピクセル〜第４のサブピクセルの配置状態の他の例を示す平面図。
【図５】本発明における第１のサブピクセル〜第４のサブピクセルの配置状態のさらに他の例を示す平面図。
【図６】本発明における第１のサブピクセル〜第４のサブピクセルの配置状態のさらに他の例を示す平面図。
【図７】本発明における第４のサブピクセルの発光色の好ましい領域を示すＣＩＥ色度図。
【図８】本発明に従う一実施形態の有機ＥＬ表示装置における各サブピクセルの発光色の色度を示すＣＩＥ色度図。
【図９】波長と視感度の関係を示す図。
【符号の説明】
【００７８】
１…基板
２…ホール注入電極
３…ホール注入層
５…電子輸送層
６…電子注入電極
１１…積層膜
１２…多結晶シリコン層
１３ｓ…ソース電極
１３ｄ…ドレイン電極
１４…ゲート酸化膜
１５…ゲート電極
１６…第１の層間絶縁膜
１７…第２の層間絶縁膜
１８…平坦化層
１９…隔壁
２０…薄膜トランジスタ（ＴＦＴ）
４１…赤色発光層
４２…緑色発光層
４３…青色発光層
４４…黄色発光層
ＣＦ…緑色カラーフィルタ層
【図１】
2007095444.tif 000015
【図２】
2007095444.tif 000016
【図３】
2007095444.tif 000017
【図４】
2007095444.tif 000018
【図５】
2007095444.tif 000019
【図６】
2007095444.tif 000020
【図７】
2007095444.tif 000021
【図８】
2007095444.tif 000022
【図９】
2007095444.tif 000023